(57)【要約】【課題】  少ない部品点数であってもボールレンズへの振動衝撃を緩和できるとともに、ボールレンズを容易に取り出し可能なボールレンズ輸送包装容器を提供すること。【解決手段】  多層プラスチック袋６は、一方の側部７と他方の側部８とから構成されている。一方の側部７は、外側面に配される第一のプラスチックシート（シート部）１０と、内側面に配される第二のプラスチックシート（シート部）１１とが積層されている。他方の側部８は、第一のプラスチックシート１０が積層されている。各プラスチックシート１０、１１は、中央部が互いに離間して空隙部１２が形成されるように、周辺３辺のシール部１３にてヒートシールされて積層されている。第二のプラスチックシート１１の内側面には、プラスチックトレイ５を収納した際にボールレンズ２と対向して接触可能な凸部１６が配されている。【選択図】  図４
2006069620.tif 000002
【特許請求の範囲】
【請求項１】
ボールレンズを収納する凹部を有するトレイ部と、
該トレイ部を内部に収容する袋部とを備え、
前記袋部の内側面に、前記トレイ部を収納した際に前記ボールレンズと対向して接触可能な凸部が配されていることを特徴とするボールレンズ輸送包装容器。
【請求項２】
前記袋部が、中央部が互いに離間可能に積層されたプラスチックフィルムからなる複数のシート部を備え、
前記凸部が最も内側に配された前記シート部に配されていることを特徴とする請求項１に記載のボールレンズ輸送包装容器。
【請求項３】
前記トレイ部の前記凹部の底部に突状部が配されていることを特徴とする請求項１又は２に記載のボールレンズ輸送包装容器。
【発明の詳細な説明】
【技術分野】
【０００１】
本発明は、ボールレンズを収納・包装し、輸送する際に使用するボールレンズ輸送包装容器に関する。
【背景技術】
【０００２】
従来、レンズを収納固定して輸送包装するトレイはプラスチック成型トレイが多用されている。このような収納用トレイとして、レンズを収納するトレイと、その上から被覆するプラスチック成型蓋部材から構成された状態で梱包するものが提案されている（例えば、特許文献１参照。）。
この収納用トレイは、トレイと蓋部材とを嵌合した容器が、埃よけ等を目的とするプラスチック袋に収納されヒートシールされている。
【０００３】
しかしながら、上記従来の技術は、容器がトレイと蓋部材との２部材からなるので、ボールレンズを取り出す際に蓋部材を分離するとき、トレイと蓋部材との嵌合強度によってはボールレンズが暴れてしまい、容器から脱落してしまう可能性がある。
また、この嵌合容器には緩衝性がないので、輸送途中の衝撃程度によっては振動による擦り傷、或いは、落下衝撃による傷等が発生してしまう場合がある。
さらに、外気との遮断性能を高めるために、プラスチックトレイと蓋部材とを嵌合した容器をさらにプラスチック袋に収納包装することから必要な部材が増えてしまう。
【特許文献１】特開２００３−３４１７７１号公報
【発明の開示】
【発明が解決しようとする課題】
【０００４】
本発明は上記事情に鑑みて成されたものであり、少ない部品点数であってもボールレンズへの振動衝撃を緩和できるとともに、ボールレンズを容易に取り出し可能なボールレンズ輸送包装容器を提供することを目的とする。
【課題を解決するための手段】
【０００５】
本発明は、上記課題を解決するため、以下の手段を採用する。
本発明に係るボールレンズ輸送包装容器は、ボールレンズを収納する凹部を有するトレイ部と、該トレイ部を内部に収容する袋部とを備え、前記袋部の内側面に、前記トレイ部を収納した際に前記ボールレンズと対向して接触可能な凸部が配されていることを特徴とすることを特徴とする。
【０００６】
このボールレンズ輸送包装容器は、トレイ部の凹部にボールレンズを収納した状態で袋部内に収容した際、内面に配された凸部とトレイ部の凹部との間でボールレンズを支持することができる。また、袋部にトレイ部を収容することによってトレイ部の蓋を不要として容易に梱包することができる。さらに、レンズ全面を覆うのではなく、適正面積で支持するので、袋部とボールレンズとを容易に離間させることができ、袋部の開梱時にトレイ部を容易に取り出すことができる。
【０００７】
また、本発明に係るボールレンズ輸送包装容器は、前記ボールレンズ輸送包装容器であって、前記袋部が、中央部が互いに離間可能に積層されたプラスチックフィルムからなる複数のシート部を備え、前記凸部が最も内側に配された前記シート部に配されていることを特徴とする。
【０００８】
このボールレンズ輸送包装容器は、プラスチックの材質を選択することによってレンズに対する所望のバリア性を付加することができる。また、シート部間にガス充填することができ、袋部に弾性力を付加して弾性変形させて、袋部外の衝撃からの緩衝性能をより向上させることができる。
【０００９】
また、本発明に係るボールレンズ輸送包装容器は、前記ボールレンズ輸送包装容器であって、前記トレイ部の前記凹部の底部に突状部が配されていることを特徴とする。
このボールレンズ輸送包装容器は、袋部の凸部とトレイ部の突状部との間でより好適にボールレンズを支持することができ、耐衝撃性を高めるとともにボールレンズをより容易に取り出すことができる。
【発明の効果】
【００１０】
本発明によれば、レンズの輸送途中におけるガタツキを好適に抑えることができ、かつ、袋部の開梱時にトレイ部からボールレンズを素早く取り出すことができる。
【発明を実施するための最良の形態】
【００１１】
本発明に係る第１の実施形態について、図１から図５を参照して説明する。
本実施形態に係るボールレンズ輸送包装容器１は、図１に示すように、ボールレンズ２を収納する凹部３を複数有するプラスチックトレイ（トレイ部）５と、プラスチックトレイ５を内部に収容する多層プラスチック袋（袋部）６とを備えている。
【００１２】
多層プラスチック袋６は、図２に示すように、一方の側部７と他方の側部８とから構成されている。一方の側部７は、ＰＶＤＣ（ポリ塩化ビニリデン）コートＰＡ（ポリアミド）／ＰＥ（ポリエチレン）／ＰＶＤＣコートＰＡ等からなり外側面に配される第一のプラスチックシート（シート部）１０と、これとは異なりボールレンズ２表面に傷をつけにくく衝撃に対する緩衝効果の高い材質にＰＶＤＣコートされて内側面に配される第二のプラスチックシート（シート部）１１とが積層されている。他方の側部８は、第一のプラスチックシート１０が積層されている。
各プラスチックシート１０、１１は、中央部が互いに離間して空隙部１２が形成されるように、周辺３辺のシール部１３にてヒートシールされて積層されている。そして、残りの１辺が開口部１５とされ、プラスチックトレイ５を収納後に封止可能なシール代１５Ａが配されている。
【００１３】
第二のプラスチックシート１１の内側面には、図２及び図３に示すように、プラスチックトレイ５を収納した際にボールレンズ２と対向して接触可能な凸部１６が配されている。この凸部１６は、ボールレンズ２をプラスチックトレイ５の凹部３に収納した際、１つのボールレンズ２に対して凸部１６の１箇所が接触するように所定の間隔で複数配されている。
【００１４】
次に、本実施形態に係るボールレンズ輸送包装容器１の使用方法、及び、作用・効果について説明する。
まず、ボールレンズ２をプラスチックトレイ５の凹部３に収納する。この状態で多層プラスチック袋６の開口部１５から内部に収容する。
このとき、ボールレンズ２と多層プラスチック袋６とは、凸部１６でのみ直接接しているので、ボールレンズ２と多層プラスチック袋６との摩擦力は低いものとされ、プラスチックトレイ５は容易に内部に収容される。
【００１５】
そして、図２に示すように、多層プラスチック袋６の開口部１５におけるシール代１５Ａをヒートシールして封緘する。このとき、図５に示すように、ボールレンズ２の上部と第二のプラスチックシート１１の凸部１６とが接触して、ボールレンズ２が凸部１６とプラスチックトレイ５の凹部３とによって一定の接触面積にて固定支持される。
【００１６】
この際、空隙部１２にガス充填して、一方の側部７及び他方の側部８とも弾性力を持たせてもよい。
一方、開口部１５から多層プラスチック袋６内を真空脱気して一方の側部７と他方の側部８とを密着し、ボールレンズ２との密着面積を増やしてもよい。
【００１７】
ボールレンズ２を取り出す際には、開口部のシール代１５Ａを破ってプラスチックトレイ５を多層プラスチック袋６から取り出す。
このとき、上述のように、ボールレンズ２と多層プラスチック袋６との摩擦力が小さいので、多層プラスチック袋６に引っ掛ることなくプラスチックトレイ５が取り出される。
【００１８】
このボールレンズ輸送包装容器１によれば、多層プラスチック袋６にプラスチックトレイ５を収容することによってプラスチックトレイ５の蓋を不要としてボールレンズ２を容易に梱包することができる。この際、ボールレンズ２の全面を多層プラスチック袋６で覆うのではなく、適正面積に調整された凸部１６と凹部３とでボールレンズ２の一部を支持することができる。従って、多層プラスチック袋６とボールレンズ２とを容易に離間させることができ、多層プラスチック袋６の開梱時にプラスチックトレイ５を容易に取り出すことができる。
【００１９】
また、多層プラスチック袋６をＰＶＤＣコートするとともに、第一のプラスチックシート１０及び第二のプラスチックシート１１の材質を好適に選択することによって、多層プラスチック袋６の酸素透過性、水蒸気透過性を小さくして所望のバリア性を付加することができる。従って、ボールレンズ２表面に変性物質を生成することを抑えることができ、ボールレンズ２表面の品質を維持することができる。
【００２０】
そして、一方の側部７における第一のプラスチックシート１０と第二のプラスチックシート１１との間、及び、他方の側部８における第一のプラスチックシート１０間にガス充填した場合には、多層プラスチック袋６に弾性力を付加して弾性変形させることができる。この場合、多層プラスチック袋６外の衝撃発生時、衝撃作用時間を遅延させるとともに弾性変形によって衝撃力を吸収し、多層プラスチック袋６の緩衝性能をより向上させることができる。
【００２１】
また、開口部１５から多層プラスチック袋６内を真空脱気した場合には、ボールレンズ２と多層プラスチック袋６との密着表面積を増加することができる。この場合、輸送時に振動してもボールレンズ２が密着しているために多層プラスチック袋６に対して移動が制限され、ボールレンズ２表面の擦り傷を低減させることができる。
【００２２】
次に、第２の実施形態について図６及び図７を参照しながら説明する。
なお、上述した第１の実施形態と同様の構成要素には同一符号を付すとともに説明を省略する。
第２の実施形態と第１の実施形態との異なる点は、本実施形態に係るボールレンズ輸送包装容器２０のプラスチックトレイ２１の凹部２２の底部に突状部２３が配されているとした点である。
突状部２３の高さは、ボールレンズ２を凹部２２に収納した際、ボールレンズ２とプラスチックトレイ２１とが、突状部２３と凹部２２の開口端２４とのみで接触可能な高さとされている。
【００２３】
このボールレンズ輸送包装容器２０によれば、多層プラスチック袋６の凸部１６とプラスチックトレイ２１の突状部２３との間でより好適な接触面積にてボールレンズ２を支持することができ、耐衝撃性を高めるとともにボールレンズ２をより容易に取り出すことができる。
【００２４】
なお、本発明の技術範囲は上記実施の形態に限定されるものではなく、本発明の趣旨を逸脱しない範囲において種々の変更を加えることが可能である。
例えば、上記実施形態では、多層プラスチック袋６の他方の側部８を第一のプラスチックシート１０同士を積層させた構成としているが、図８に示すように、多層プラスチック袋２５の他方の側部２６を第一のプラスチックシート１０一層のみからなるものとして空隙部１２のない構成としても構わない。他方の側部２６はプラスチックトレイ２１の底部側でボールレンズ２とは直接接触しないので、上述のような構成としても上述した実施形態と同様の作用・効果を奏することができ、多層プラスチック袋２５の軽量化を図ることができる。
また、多層プラスチック袋６、２５の一方の側部７を２層構成としているが、これに限らず、３層以上の積層構成としても構わない。
【図面の簡単な説明】
【００２５】
【図１】本発明の第１の実施形態に係るボールレンズ輸送包装容器を示す斜視図である。
【図２】本発明の第１の実施形態に係るボールレンズ輸送包装容器の多層プラスチック袋の構成を示す分解図である。
【図３】本発明の第１の実施形態に係るボールレンズ輸送包装容器の多層プラスチック袋におけるプラスチックシートを示す（ａ）斜視図、（ｂ）平面図、（ｃ）（ｂ）のＡ−Ａ断面図、（ｄ）（ｂ）のＢ−Ｂ断面図である。
【図４】本発明の第１の実施形態に係るボールレンズ輸送包装容器にボールレンズを収納した状態を示す断面図である。
【図５】本発明の第１の実施形態に係るボールレンズ輸送包装容器にボールレンズを収納した状態を示す要部拡大断面図である。
【図６】本発明の第２の実施形態に係るボールレンズ輸送包装容器にボールレンズを収納した状態を示す断面図である。
【図７】本発明の第２の実施形態に係るボールレンズ輸送包装容器にボールレンズを収納した状態を示す要部拡大断面図である。
【図８】本発明の他の実施形態に係るボールレンズ輸送包装容器にボールレンズを収納した状態を示す断面図である。
【符号の説明】
【００２６】
１、２０  ボールレンズ輸送包装容器
２  ボールレンズ
３、２２  凹部
５、２１  プラスチックトレイ（トレイ部）
６  多層プラスチック袋（袋部）
１０  第一のプラスチックシート（シート部）
１１  第二のプラスチックシート（シート部）
１６  凸部
２３  突状部
【図１】
2006069620.tif 000003
【図２】
2006069620.tif 000004
【図３】
2006069620.tif 000005
【図４】
2006069620.tif 000006
【図５】
2006069620.tif 000007
【図６】
2006069620.tif 000008
【図７】
2006069620.tif 000009
【図８】
2006069620.tif 000010